(57)【要約】【課題】この発明は、消費者に対するアピール効果を向上させることができ、消費者が容易に広告対象商品を購入できる展示見本取付具を提供することを目的とする。【解決手段】展示見本固定具１０は、商品と酷似するダミーラベル７を、商品と略対応する形状に保持して構成した展示見本２を取付ける開口部１１、１３、１４を形成した表面１０ａ、裏面１０ｂと、展示見本２が陳列される自動販売機１の展示室３内の面の任意の位置に展示見本取付具１０を固定する磁石１７を備え、表面１０ａ、裏面１０ｂに、展示見本２に関連する表示内容が印刷された表示パネル９ａ、９ｂを取付ける嵌合孔１２ａ〜１２ｍ、１５ａ〜１５ｌを形成した。【選択図】図２
2007334811.tif 000002
【特許請求の範囲】
【請求項１】
商品と酷似する表示ラベルを、商品と略対応する形状に保持して構成した展示見本を取付ける展示見本取付部を形成した取付面と、
前記展示見本が陳列される自動販売機の展示室内の面の任意の位置に前記取付面を固定する固定部とを備えるとともに、
前記取付面に、前記展示見本に関連する表示内容が印刷された表示物を取付ける表示物取付部を形成した
展示見本取付具。
【請求項２】
前記固定部は、前記取付面の側部に配設されるとともに、
前記取付面が前記展示見本及び前記表示物から受ける荷重の方向に幅を有する
請求項１記載の展示見本取付具。
【請求項３】
前記固定部と前記表示物取付部とを、互いが離間する位置に配設した
請求項１または２記載の展示見本取付具。
【請求項４】
前記取付面の裏面側に表示物取付部をさらに形成した
請求項１乃至３のうちいずれか一項記載の展示見本取付具。
【請求項５】
前記取付面の裏面側に展示見本取付部をさらに形成するとともに、
前記両展示見本取付部を異なる位置に配設した
請求項４記載の展示見本取付具。
【請求項６】
前記固定部を前記両取付面の側部に配設した
請求項５記載の展示見本取付具。
【請求項７】
前記展示見本取付部の数を両取付面において異ならせた
請求項５記載の展示見本取付具。
【請求項８】
前記展示見本取付部を、前記展示見本と係合可能な係合孔で形成するとともに、
前記表示物取付部を、前記表示物と係合可能な係合孔で形成し、
前記両取付面の係合孔の位置関係を、前記取付面から見て重複する領域が形成されるように設定した
請求項５記載の展示見本取付具。
【請求項９】
前記固定部を、前記展示室を規定する面に吸着可能な手段により構成した
請求項１乃至８のうちいずれか一項記載の展示見本取付具。
【請求項１０】
前記吸着可能な手段を、磁石により構成した。
請求項９記載の展示見本取付具。
【発明の詳細な説明】
【技術分野】
【０００１】
この発明は、商品と酷似する表示ラベルを、商品と略対応する形状に保持して構成した展示見本を自動販売機の展示室に取付ける展示見本取付具に関する。
【背景技術】
【０００２】
従来より、たばこや飲料水等の商品を販売する自動販売機においては、商品の選択や宣伝を目的として、商品と酷似する表示ラベルを商品と略対応する形状に保持して構成した展示見本が所定の展示室内にて左右方向に一列に陳列された状態で取付けられている。
【０００３】
また、展示見本を単に展示室に陳列するだけではなく、新商品やおすすめ商品等についてはその商品をアピールするために、宣伝を目的とする広告用の表示物を自動販売機の前面に併設することがある。このような背景から、近年では、自動販売機の展示室においては、前記表示物の配置、デザイン等に応じて展示見本の配列を適宜変更することができる取付構造が提案されている。
【０００４】
例えば、下記特許文献１においては、背景面等の絵画等の意匠に応じて展示商品取付金具を介して展示商品を背面の任意の位置に取付可能とすることにより、展示商品、絵画意匠板の効果的な配置を可能とする取付構造が開示されている。
【０００５】
また、下記特許文献２においては、展示見本を載置した展示台を展示パネルの任意の位置に取付けられるようにし、展示見本の個数やピッチ等のレイアウトを任意に変更可能とする取付構造が開示されている。特許文献２では、この取付構造により、自動販売機のディスプレイ装置（前面）に展示される広告プレートのレイアウトを自由に設定できるとしている。
【特許文献１】実開昭６２−８１２７５号公報
【特許文献２】特開２０００−１１２４４号公報
【発明の開示】
【発明が解決しようとする課題】
【０００６】
近年では、自動販売機において１つの新商品が登場してから次の新商品が登場するまでのサイクルが早まっており、どの商品が新商品なのかをいち早く消費者に気付かせるため、より効果的なアピールが必要となる。その他、季節、行事等に応じたおすすめ商品に対して販売促進を目的とする宣伝を表示物を用いて行う場合が多くなっており、表示物を用いた商品アピールの重要性は日々高まっている。
【０００７】
ここで、前記特許文献１、２に開示された取付構造では、広告用の絵画意匠表示物、広告プレート等の表示物を自動販売機の前面にて併設可能とすることでアピール効果を得ようとするものではあるが、展示見本の取付けと表示物の取付けとが各々独立しているため、これらに一体感がなく、宣伝広告が消費者に与えるインパクトは不十分なものとなる。
【０００８】
つまり、上述した従来の構造では、表示物による新商品、おすすめ商品のアピール効果が十分に得られないという問題を有する他、消費者は、前記表示物を見て、新商品、おすすめ商品が扱われていることに気付いたとしても、その表示物に描かれた宣伝対象商品に該当する展示見本（商品選択ボタン）がどれなのかを探さなければならないという手間がある。
【０００９】
この発明は、消費者に対するアピール効果を向上させることができ、消費者が容易に広告対象商品を購入できる展示見本取付具を提供することを目的とする。
【課題を解決するための手段】
【００１０】
この発明の展示見本取付具は、商品と酷似する表示ラベルを、商品と略対応する形状に保持して構成した展示見本を取付ける展示見本取付部を形成した取付面と、前記展示見本が陳列される自動販売機の展示室内の面の任意の位置に前記取付面を固定する固定部とを備えるとともに、前記取付面に、前記展示見本に関連する表示内容が印刷された表示物を取付ける表示物取付部を形成したことを特徴とする。
【００１１】
この発明の一実施態様においては、前記固定部は、前記取付面の側部に配設されるとともに、前記取付面が前記展示見本及び前記表示物から受ける荷重の方向に幅を有することを特徴とする。
【００１２】
この発明の一実施態様においては、前記固定部と前記表示物取付部とを、互いが離間する位置に配設したことを特徴とする。
【００１３】
この発明の一実施態様においては、前記取付面の裏面側に表示物取付部をさらに形成したことを特徴とする。
【００１４】
この発明の一実施態様においては、前記取付面の裏面側に展示見本取付部をさらに形成するとともに、前記両展示見本取付部を異なる位置に配設したことを特徴とする。
【００１５】
この発明の一実施態様においては、前記固定部を前記両取付面の側部に配設したことを特徴とする。
【００１６】
この発明の一実施態様においては、前記展示見本取付部の数を両取付面において異ならせたことを特徴とする。
【００１７】
この発明の一実施態様においては、前記展示見本取付部を、前記展示見本と係合可能な係合孔で形成するとともに、前記表示物取付部を、前記表示物と係合可能な係合孔で形成し、前記両取付面の係合孔の位置関係を、前記取付面から見て重複する領域が形成されるように設定したことを特徴とする。
【００１８】
この発明の一実施態様においては、前記固定部を、前記展示室を規定する面に吸着可能な手段により構成したことを特徴とする。
【００１９】
この発明の一実施態様においては、前記吸着可能な手段を、磁石により構成したことを特徴とする。
【発明の効果】
【００２０】
この発明によれば、前記取付面を固定部により展示室内の面の任意の位置に固定できるようにすることにより、展示見本取付具の高さ位置を展示面よりも高い位置に設定することができるため、展示見本取付具に取付けられた展示見本を、他の展示見本よりも目立たせることができる。  
さらに、前記取付面に表示物取付部を形成したことにより、表示物を展示見本の周囲に一体的に取付けることができるため、展示見本取付具の高さ位置との相乗効果でアピール効果を向上させることができる。
【００２１】
さらに、展示見本と表示物を一体的に取付面に取付けることにより、消費者が広告対象商品を容易に特定できるため、その商品を容易に購入することができる。
【発明を実施するための最良の形態】
【００２２】
以下、図面に基づいて本発明の実施形態を詳述する。  
図１はこの発明の実施形態に係る展示見本取付具１０を取付けた自動販売機１を示す斜視図であり、図２、図３は、それぞれ展示見本取付具１０の表面（上面）１０ａ側、裏面（下面）１０ｂ側を示す斜視図であり、図４は、ラベル保持枠８の固定構造を示す底面側斜視図であり、図５は、展示見本２、展示見本取付具１０を展示室３内に陳列した状態で、図２におけるＡ−Ａ線で、展示見本２、展示見本取付具１０等を切断した時の断面図である。
【００２３】
図１に示すように、自動販売機１においては、自動販売機１により販売される大中小の商品（例えば缶商品）と略酷似する外観及び意匠に形成された展示見本２が、上部前面に設けた展示室３に複数陳列されている。
【００２４】
展示室３には、左右に水平に延びる展示面４、後部にて立設された背景面５等が配設されており、展示室３には、展示面４に陳列される展示見本２の位置に略対応して、略丸形状の開口部４ａを所定間隔毎に複数形成している。その展示室３の内部には、光源６（例えば蛍光灯）を展示面４の開口部４ａと対向して配設している。且つ、光源６は、展示見本２が立体的に発光され、シート状のダミーラベル７に印刷した意匠（例えば商標、文字、模様、図柄等）を明瞭に表示するのに必要な光量を投光する。
【００２５】
展示見本２は、例えば、特開２００１−２０９８５０号公報に開示されているように、展示室３の展示面４に立設されるように取付けられており、略円筒状のダミー保持枠８と、ダミー保持枠８の前面側に商品と略対応する形状に保持されるシート状（又はフィルム状）のダミーラベル７とで構成される。
【００２６】
ダミーラベル７は、透光性を有するプラスチック（例えばポリカーボネイト）により半透明に形成され、缶商品の前側外周面と略対応する曲率半径（例えば略半円筒状又は略円弧状）に可撓変形可能な硬さ及び厚みに形成している。且つ、ダミーラベル７の表面側には、缶商品の外周面に印刷された意匠（例えば色彩、模様、文字等）と酷似する意匠を印刷している。
【００２７】
ここで、本実施形態では、図示のように、複数の展示見本２のうち１つが、板状の展示見本取付具１０（以下、取付具１０と略記する。）を介して展示室３内に陳列されている。取付具１０の表面１０ａ側には、取付具１０に取付けられた展示見本２の商品が新商品やおすすめ商品であることを宣伝するための表示ラベル９ａが取付けられている。表示ラベル９ａは、展示見本２の周囲を環状に覆う帯状の形状に保持されたシート状のラベルである。さらに、取付具１０の裏面１０ｂ側には、コ字状に保持されたシート状の第２の表示パネル９ｂが取付けられている。
【００２８】
表示パネル９ａ、９ｂは、取付具１０に取付けられた展示見本２の商品に関連する表示内容が印刷されている。例えば、取付具１０に取付けられた展示見本２がダイエット飲料水である場合、表示シート９ａには、脂肪の燃料をイメージさせるべく、炎のイラストが印刷されたものが用いられる。また、表示パネル９ｂは、例えば、前面側に「キャンペーン実施中」等、宣伝の趣旨を印字したものが使用される。なお、表示ラベル９ｂは、その前面に、展示室３下方の商品選択ボタンＢの位置を案内する矢印が併せて印刷されているものであってもよい。
【００２９】
図２にも示すように、取付具１０の表面１０ａ側には、その略中央に、展示面４の開口部４ａと同型の開口部１１が穿設され、展示見本２を取付けることができるようになっているとともに、開口部１１を囲むようにその周囲に複数の嵌合孔１２ａ〜１２ｍが穿設され、表示パネル９ａを展示見本２と一体的に取付けることができるようになっている。
【００３０】
表面１０ａにおいては、嵌合孔１２ａ、１２ｂ、１２ｌ、１２ｍが長手方向と直交する方向に延びており、表面１０ａの縁部に位置している。さらに、嵌合孔１２ｃ、１２ｄ、１２ｅ、１２ｇ、１２ｉ、１２ｊ、１２ｋが長手方向に延びており、表面１０ａの縁部に位置している。この中で、嵌合孔１２ａ〜１２ｅ、１２ｉ〜１２ｍは、表面１０ａの長手方向の両端に位置し、嵌合孔１２ｇは、表面１０ａの長手方向の略中央に位置している。さらに、開口部１１の長手方向の両側には、前方に向かうにつれて互いの距離が離れるようにハ字状に形成された２つの嵌合孔１２ｆ、１２ｈが位置している。
【００３１】
これら嵌合孔１２ａ〜１２ｍのうち、帯状の表示パネル９ａは、両端に設けられたフック９ａ１、９ａ２を２つの嵌合孔１２ｆ、１２ｈに嵌合させることにより、図１に示すように展示見本２を環状に覆ったような所定の形状とすることができるようになっている。
【００３２】
また、取付具１０の裏面１０ｂにおいても、図２、図３に示すように、２つの開口部１３、１４が穿設されており、該開口部１３、１４の周囲には、表面１０ａ側と同様に嵌合孔１５ａ〜１５ｌが穿設されている。
【００３３】
裏面１０ｂにおいては、嵌合孔１５ｂ、１５ｃ、１５ｆ、１５ｇ、１５ｊ、１５ｋが長手方向と直交する方向に延びており、嵌合孔１５ｂ、１５ｃ、１５ｊ、１５ｋは裏面１０ｂの縁部に位置し、嵌合孔１５ｆ、１５ｇは裏面１０ｂの長手方向中央に位置している。さらに、嵌合孔１５ａ、１５ｄ、１５ｅ、１５ｈ、１５ｉ、１５ｌが裏面１０ｂの長手方向に延びており、裏面１０ｂの縁部に位置している。この中で、嵌合孔１５ｅ、１５ｈは、裏面１０ｂの長手方向の略中央に位置している。
【００３４】
ここで、取付具１０下方の表示パネル９ｂは、展示面４上に載置されているとともに、その両端に設けられたフック９ｂ１〜９ｂ４を、嵌合孔１５ｂ、１５ｃ、１５ｊ、１５ｋに嵌合させることにより取付具１０に取付けられている。つまり、表示パネル９ｂが取付具１０を支持している状態である。
【００３５】
なお、本実施形態においては、便宜上、１つの開口部１１が穿設されている側を表面１０ａ、２つの開口部１３、１４が穿設されている側を裏面１０ｂとしているが、勿論その定義は任意である。
【００３６】
ここで、取付具１０は、図示のように、展示見本２、表示パネル９ａから受ける荷重の方向、ここでは、高さ方向に所定の幅を有する側壁を備えた中空の部材とされている。そのうち、背面の側壁１１ｃにおいては、箱型の収納部１６が設けられ、その内部に磁石１７が収納されている。展示室３の背景面５は磁性体の板材で形成されていることが多く、これにより、磁石１７の吸着力を利用して背景面５の任意の位置に取付具１０（展示見本２）を固定できるようになっている。
【００３７】
このように、取付具１０を磁石１７の吸着力で展示室３内の面、ここでは背景面５に固定することにより、図１に示すように、取付具１０の高さ位置を展示面４よりも高い任意の高さ位置に設定することができるため、取付具１０に取付けられた展示見本２を、他の展示見本２よりも目立たせることができる。
【００３８】
さらに、取付具１０において、展示見本２の開口部１１と併せて、その周囲に嵌合孔１２ａ〜１２ｍを穿設していることにより、図示のような表示パネル９ａを展示見本２の周囲に一体的に取付けることができるため、取付具１０の高さ位置との相乗効果でアピール効果を向上させることができる。さらに、展示見本２と表示ラベル２０ａ、９ｂを一体的に取付具１０に取付けることにより、消費者は宣伝対象商品に該当する展示見本２（商品選択ボタンＢ）を容易に特定することができるため、その商品を容易に購入することができる。
【００３９】
また、取付具１０が高さ方向に幅を有していることにより、磁石１７を取付けるスペースが確保されているため、より大きな磁石１７を取付けることで大きな吸着力を持たせることができ、展示見本２、表示ラベル９ａの荷重にもかかわらず、取付具１０の位置を保持する保持力を向上させることができる。
【００４０】
ここで、磁石１７の代わりに、先行文献１、２に開示されているように、多数の被係合部を背景面５に形成し、この被係合部と係合可能な係合部を取付具１０に形成する構造としてもよいが、本実施形態のように磁石１７の吸着力を利用することにより、背景面５の加工の手間を省略でき、背景面における意匠性を向上させることができる。
【００４１】
また、磁石１７の代わりに吸盤等を用い、吸盤の吸着力を利用して取付具１０を背景面５に固着することも可能である。但し、取付具１０の姿勢を長時間に亘り保持させる場合には磁石１７がより好適である。
【００４２】
また、取付具１０には、展示見本２を取付ける開口部１１と反対側の裏面側１０ｂにおいても嵌合孔１５ａ〜１５ｌを形成していることにより、取付具１０下方に表示パネル９ｂを取付けることができ、その表示パネル９ｂの表示によりアピール効果を向上させることができる他、表示パネル９ｂにより、取付具１０を支持する支持部材として併用することができる。
【００４３】
ところで、磁石１７（収納部１６）と、取付具１０の表面１０ａ、裏面１０ｂの長手方向中央に位置する嵌合孔１２ｇ、１５ｅとは、図２、図３に示すように、長手方向において間隔Ｌ１だけ離間している。これは、二点鎖線で示すように表示パネル９ｃを嵌合孔１２ｇ（１５ｅ）に嵌合した時、フック９ｃ１と磁石１７とが干渉しないようにするためである。これにより、フック９ｃ１を嵌合孔１２ｇ、１５ｅに嵌合する作業が容易になるとともに、フック９ｃ１の折れ曲がり、損傷等を確実に防止できる。
【００４４】
ここで、取付具１０の側壁のうち、前面には、その両端に最外壁１８、１８が設けられ、中央には、最外壁１８、１８よりも内側に後退した位置に内壁１９が設けられている。さらに、前面の両側には、最外壁１８と内壁１９との隙間によりスリット溝２０、２０が形成されている。このスリット溝２０は、図２において二点鎖線で示すように帯状の表示パネル９ｄを湾曲させながら、その両端をスリット溝２０に嵌め込み、係止させることにより、前面側においても広告を掲示することができるようになっている。この表示パネル９ｄは、例えば新商品であることを示す「ＮＥＷ」の文字が印字されたものであったり、例えば、見本展示２に対応する自動販売機１の商品選択ボタンＢの位置を案内する矢印が印刷されたものであってもよい。
【００４５】
ところで、見本展示２は、透光性を有する半透明のプラスチックから形成されるダミー保持枠８へダミーラベル７を取付けることにより形成される。例えば、図４においてダミー保持枠８は、特開２００１−２０９８５０号公報に開示されているように、缶商品の上部（プルトップ側）と略酷似する形状に形成した上側保持部８ａと、下部（底部側）と酷似する形状に形成した下側保持部８ｂとの後側対向周縁部（略半周）を、略半円筒状に形成した支持板８ｃで一体的に連設したものであり、前面側を開口した形状に形成したものに対し、シート状のダミーラベル７を撓ませるか巻回させる等して、ダミー保持枠８を構成する保持部８ａ、８ｂの間に装填することで展示見本２が形成される。
【００４６】
ここで、ダミー保持枠８の下側保持部８ｂには、開口部が形成されて採光窓８ｄが形成されており、該採光窓８ｄの下面側周縁部には、筒状部８ｅが、展示面４の開口部４ａ、取付具１０の開口部１１に対して略垂直に差込み可能であって、開口部４ａ等よりも下方に所定長さ突出される大きさ及び形状に形成している。
【００４７】
筒状部８ｅの対向周縁部には、係止部８ｆを、開口部４ａ等の対向周縁部に形成した切欠き部Ｘに対して差込み可能であって、開口部１１の裏面側周縁部に対して係止される大きさ及び形状に形成している。
【００４８】
且つ、係止部８ｆの近傍位置には、支持片８ｇを、係止部８ｆに対して所定角度に偏心して形成すると共に、開口部１１の内周縁部に当接される係止解除状態と、切欠き部Ｘに係止される係止固定状態とに、筒状部８ｅの中心に向けて変位可能に又は可撓性を持たせるように形成している。
【００４９】
そこで、ダミー保持枠８の保持部８ｂに形成した筒状部８ｅを、開口部４ａ等に差込み、筒状部８ｅの係止部８ｆ、８ｆを、開口部４ａ等の切欠き部Ｘ、Ｘに挿入し、支持片８ｇ、８ｇを、開口部４ａ等の内周縁部に当接して、筒状部中心に向けて撓ませる。
【００５０】
次に、ダミー保持枠８を水平回動して、係止部８ｂを、切欠き部Ｘの一端側に係止し、支持片８ｇを、切欠き部Ｘの他端側に係止して、ダミーラベル７を回止めすると共に、採光窓８ｄと開口部１１とを連通した状態に固定する。これにより、取付具１０に展示見本２を取付けることができる。
【００５１】
ここで、展示見本２が取付具１０を介して展示室３内に取付けられた時、取付具１０の表面１０ａの開口部１１と、裏面１０ｂの開口部１３、１４とは、図５に示すように、表面１０ａまたは裏面１０ｂから見て幅Ｌ２だけ重複する位置関係となっている。また、展示面４の開口部４ａ同士の間隔と裏面１０ｂにおける開口部１３、１４同士の間隔は略同じであり、取付具１０を背景面５に固定した時は、開口部４ａと、開口部１３、１４との位置を一致させることができるようになっている。ここで、ダミー保持枠８が上述したように半透明とされているため、光源６から投光される光を確実にダミーラベル７の内方まで照射させることができ、展示見本２を立体的に発光させ、ダミーラベル７に印刷した意匠を明瞭に表示することができる。また、表示パネル９ａを取付具１０に嵌合する嵌合孔１２ａ〜１２ｍにより、光源６から投光される光を表示パネル９ａに照射でき、これに印刷した意匠も明瞭に表示することができる。
【００５２】
なお、本実施形態の取付具１０に代わり、裏面側にダミー保持枠８の下側保持部８ｂのような構造を備えた取付具を用い、上述したダミー保持枠８を取付具１０に取付ける要領で、この取付具を展示面４の開口部４ａに嵌合させることも考えられる。しかしながら、この場合、展示見本２を任意の高さに設定できないという問題を有する他、展示室３の水平方向のスペースが限られているため、取付具を水平回動させることができないという問題がある。従って、本実施形態では、回動操作を必要としない、磁石１７（図２、図３参照）の吸着力を用いて背景面５に取付具１０を固着するようにしているのである。
【００５３】
ところで、取付具１０においては、その表面１０ａ、裏面１０ｂとで、開口部の数が異なっており、しかも、表面１０ａまたは裏面１０ｂから見て、開口部１１と開口部１３、１４とが互いにずれた位置関係となっている。ここで、図６〜図８を参照して開口部１１、１３、１４を上述したように形成したことによる効果について詳細に説明する。
【００５４】
図６〜図８は、表面１０ａまたは、裏面１０ｂにおける展示見本２、表示ラベルの取付例を示す図であり、図６は、表面１０ａの開口部１１に展示見本２を取付けた場合を示している。
【００５５】
図６（ａ）においては、展示見本２が表面１０ａの略中央に位置するため、その両端のスペースを利用して表示パネル９ｅ、９ｅを取付けている。この場合、図６（ｂ）、（ｃ）に示すような、３箇所に折り目が形成された表示パネル９ｅ、９ｅをＺ字状に折り曲げた状態にし、各フック９ｅ１〜９ｅ４を、開口部１１を挟んで対称に形成された嵌合孔１２ｃ、１２ｅ、１２ｉ、１２ｋに嵌合させている。
【００５６】
図示のものの場合、商品が緑茶であることから、表示パネル９ｅ、９ｅには、茶畑の茶葉が印刷されたものが用いられ、展示見本２が茶畑に囲まれているような構図となっている。このような一体的な構図により、消費者は、緑茶という品種または、品質を直感的に連想することができ、商品のアピール効果を向上させることができる。
【００５７】
さらには、図示のように前部に「新登場」なる表示を施すことで消費者に宣伝の趣旨を確実に伝えることもできる。さらに、取付具１０に取付けることにより、展示見本２、表示ラベル９ｅ、９ｅが他に比べて高い位置に配設されるため、商品のアピール効果をさらに向上させることができる。
【００５８】
なお、図６においては、展示見本２としてペットボトル型のものを用いているが、本発明においては、展示見本２が缶型、ペットボトル型等のいずれであってもその作用、効果に変わりはない。
【００５９】
図７は、裏面１０ｂの開口部１３、１４の両方に展示見本２、２を取付けた場合を示している。図７（ａ）においては、２つ展示見本２、２が裏面１０ｂの長手方向両側に位置するため、その中央の隙間により形成されたスペースを利用して表示パネル９ｆを取付けている。この場合、図７（ｂ）、（ｃ）に示すように、両側対称に２箇所に折り目が形成された表示パネル９ｆの、フック９ｆ１、９ｆ２を設けた端部を互いに重ね合わせた状態にして、フック９ｆ１、９ｆ２を嵌合孔１５ｇに嵌合させている。図示のものの場合、表示パネル９ｆが「新登場」と印刷され、商品の宣伝がなされていることに加え、取付具１０に取付けられていることにより、展示見本２が他に比べて高い位置に配設されているため、宣伝のアピール効果を向上させることができる。この場合、同時に複数の商品が新たに販売開始された時に、１つの取付具１０でその商品の宣伝をまとめて行うことができる。
【００６０】
図８は、図７と同様に、裏面１０ｂの開口部１３、１４を用いてはいるものの、片方のみに展示見本２を取付けた場合を示している。図８（ａ）においては、１つ展示見本２が裏面側１０ｂの長手方向一端に位置するため、他端のスペースを利用して表示パネル９ｇを取付けている。この場合、図８（ｂ）、（ｃ）に示すように、屋根部９ｇ１、壁面９ｇ２〜９ｇ５からなる１枚の表示パネル９ｇを複数の折り曲げ部を折り曲げることで箱型に成形することができるようになっており、表示パネル９ｇを箱型にした状態にして、フック９ｇ６〜９ｇ１０を嵌合孔１５ｃ、１５ａ、１５ｉ、１５ｌ、１５ｈに嵌合させている。図示のものの場合、商品がコーヒー飲料であることから、表示パネル９ｇの壁面９ｇ５の表側には、展示見本２に印刷されたものと同一の意匠が印刷されており、展示見本２が喫茶店、コーヒーショップ等の店舗内に展示見本２が配設された構図となっている。このような一体的な構図により、消費者は、コーヒー飲料という品種を直感的に連想することができ、商品のアピール効果をより向上させることができる。
【００６１】
以上より、表面１０ａ、裏面１０ｂそれぞれで、表示パネルを取付けることができるスペースの位置が異なっているため、１つの取付具１０で、品種、宣伝手法等に応じて様々な形態の構図を構築することができる。
【００６２】
また、表面１０ａ、裏面１０ｂそれぞれで、開口部の数を異ならせていることにより、図７に示すように、１つの取付具１０で、宣伝対象となる製品の数に容易に対応することができる。なお、本実施形態においては、表面１０ａ、裏面１０ｂにおいて、それぞれ開口部を１つ、２つとしているが、勿論、３つ以上形成してもよい。
【００６３】
ここで、上述したように、取付具１０を表裏両面１０ａ、１０ｂで用いる場合、表面１０ａ、裏面１０ｂのそれぞれに磁石１７を取付け、展示面４側に固定できるようにすることも考えられるが、本実施形態の側壁１１ｃに磁石１７を配設し、背景面５へ固定するようにしていることにより、１つの磁石１７で、表裏両面いずれの側を用いる場合にも対応することが可能となっている。
【００６４】
ところで、上述した各取付例では、取付具１０の表面１０ａ、裏面１０ｂとを展示面４と平行になるように配設しているが、必ずしもこれに限定されるものではない。例えば、取付具１０は、背景面５の任意の位置に固定させることが可能であるとともに、図９に示すように、任意の姿勢に保持することも可能である。つまり、図９に示すように、展示面４に対して傾斜する姿勢で保持することも可能である。
【００６５】
この場合、取付具１０の下方には、前記表示パネル９ｂ（図１参照）と同様に、取付具１０を支持する役割を果たす表示パネル９ｈが配設されている。
【００６６】
これは、図９（ｂ）に示すように、表示パネル９ｈの、前側に位置する部位が三角形状に成形されているためであり、図９（ｂ）に示すフック９ｈ１、９ｈ２、９ｈ３が取付具１０の裏面１０ｂの嵌合孔１２ｌ、１２ｍ、１２ｅと嵌合し、展示面４に載置された時、図９（ｂ）において傾斜している部位が展示面４に接地することで、図９（ａ）に示すような、取付具１０（展示見本２）が傾斜している姿勢を実現できる。
【００６７】
また、取付具１０を、図１０に示すように、展示面４に対して略直立する姿勢で固定するようにしてもよい。例えば、展示見本２のうち、図中左右の「紅茶」、「お茶」との印字がなされたものは、消費者が自動販売機１を見た時、字列の向きに違和感を感じることはないが、中には、展示見本２の直立する方向に横向きに文字が印字され、字列を読み取る際に若干の違和感を感じるものがある。この場合、図１０中の中央に示す展示見本２のように、取付具１０を展示面４に対して垂立させ、展示見本２を横向きに保持するようにすることで、消費者は、図示の「ＣＯＦＦＥＥ」の字列を違和感なく読み取ることができる。
【００６８】
また、図示のように、展示見本２以外のスペースを利用して、フック９ｉ１を嵌合孔１２ｅ等に嵌合して帯状の表示パネル９ｉを横向きに取付けるようにすることもできる。通常であれば、展示室３の下方には、商品選択ボタンＢが展示見本２の位置に対応して配設されているが、この場合、横向きに保持された展示見本２については、展示見本２と商品選択ボタン３０との対応関係が明確でない。そこで、このような場合には、表示パネル９ｉのように、宣伝広告等とともに、対応する商品選択ボタンＢの位置を案内する矢印が印刷されたものを用いるようにしてもよい。
【００６９】
この発明の構成と、上述の実施形態との対応において、
この発明の展示見本取付部は、開口部１１、１３、１４に対応し、
以下同様に、
取付面は、表面１０ａ、裏面１０ｂに対応し、
固定部は、磁石１７に対応し、
表示物取付部は、嵌合孔１２ａ〜１２ｍ、１５ａ〜１５ｌに対応するも、
この発明は、上述の実施形態の構成のみに限定されるものではなく、多くの実施の形態を得ることができる。
【図面の簡単な説明】
【００７０】
【図１】この発明の実施形態に係る展示見本取付具を取付けた自動販売機を示す斜視図。
【図２】図１の展示見本取付具の表面（上面）側を示す斜視図。
【図３】図１の展示見本取付具の裏面（下面）側を示す斜視図。
【図４】ラベル保持枠の固定構造を示す底面側斜視図。
【図５】展示見本、展示見本取付具を展示室内に陳列した状態で、図２におけるＡ−Ａ線で、展示見本、展示見本取付具等を切断した時の断面図である。
【図６】表面または、裏面における展示見本、表示ラベルの取付例を示す図。
【図７】表面または、裏面における展示見本、表示ラベルの取付例を示す図。
【図８】表面または、裏面における展示見本、表示ラベルの取付例を示す図。
【図９】表面または、裏面における展示見本、表示ラベルの別の取付例を示す図。
【図１０】表面または、裏面における展示見本、表示ラベルのさらに別の取付例を示す図。
【符号の説明】
【００７１】
２…展示見本
３…展示室
９ａ〜９ｉ…表示パネル
１０…展示見本取付具
１０ａ…表面
１０ｂ…裏面
１１、１３、１４…開口部
１２ａ〜１２ｍ、１５ａ〜１５ｌ…嵌合孔
１７…磁石
【図１】
2007334811.tif 000003
【図２】
2007334811.tif 000004
【図３】
2007334811.tif 000005
【図４】
2007334811.tif 000006
【図５】
2007334811.tif 000007
【図６】
2007334811.tif 000008
【図７】
2007334811.tif 000009
【図８】
2007334811.tif 000010
【図９】
2007334811.tif 000011
【図１０】
2007334811.tif 000012